(57)【要約】【課題】様々なＨＰ上のコンテンツに対応可能な情報記録再生装置および情報記録再生方法を提供する。【解決手段】データを記録再生する情報記録再生装置において、外部との通信を行って外部から再生データを取り込むデータ取込部と、このデータ取込部によって取り込まれた再生データから、再生に必要な属性情報を検出する属性情報検出部と、この属性情報検出部によって検出された属性情報に対応したデコードソフトを格納していることを示すデコードコードを保持するデコードコード情報部と、属性情報とデコードコードとに基づいて再生可能かどうかを判定する再生可能判定部と、この再生可能判定部によって再生不能と判断された場合、通信部より属性情報に対応したデコードソフトを取り込むデコードソフト取込部とを具備することを特徴とする。【選択図】      図６
2004303324.tif 000002
【特許請求の範囲】
【請求項１】
ディスクにデータを記録又は前記ディスクに記録されたデータを再生する情報記録再生装置において、
外部との通信を行うための通信部と、
この通信部を介して外部から再生データを取り込む再生データ取込部と、
この再生データ取込部によって取り込まれた前記再生データから、再生に必要なデコード属性情報を検出する属性情報検出部と、
この属性情報検出部によって検出された前記デコード属性情報に対応したデコードソフトを格納していることを示すデコードコードを保持するデコードコード情報部と、
前記デコード属性情報と前記デコードコードとに基づいて再生可能かどうかを判定する再生可能判定部と、
この再生可能判定部によって再生不能と判断された場合、前記外部より前記デコード属性情報に対応したデコードソフトを取り込むデコードソフト取込部とを具備することを特徴とする情報記録再生装置。
【請求項２】
ディスクにデータを記録又は前記ディスクに記録されたデータを再生する情報記録再生装置において、
前記ディスクから再生データを再生する再生部と、
この再生部によって再生された前記再生データから、再生に必要なデコード属性情報を検出する属性情報検出部と、
この属性情報検出部によって検出された前記デコード属性情報に対応したデコードソフトを格納していることを示すデコードコードを保持するデコードコード情報部と、
前記デコード属性情報と前記デコードコードとに基づいて再生可能かどうかを判定する再生可能判定部と、
この再生可能判定部によって再生不能と判断された場合、外部より前記デコード属性情報に対応したデコードソフトを取り込むデコードソフト取込部とを具備することを特徴とする情報記録再生装置。
【請求項３】
前記属性情報に対応するデコードソフトが前記デコードソフト取込部によって取り込む際、再生可能な前記属性情報の種類を表示することを特徴とする請求項１乃至２のいずれかに記載の情報記録再生装置。
【請求項４】
前記属性情報に対応するデコードソフトが前記デコードソフト取込部によって取り込む際、有料であるか否かを警告表示することを特徴とする請求項１乃至２のいずれかに記載の情報記録再生装置。
【請求項５】
前記属性情報は、前記再生データが圧縮された圧縮方式を示す情報であることを特徴とする請求項１乃至２のいずれかに記載の情報記録再生装置。
【請求項６】
ディスクにデータを記録又は前記ディスクに記録されたデータを再生する情報記録再生方法において、
外部との通信を行うためのステップと、
前記外部から再生データを取り込むステップと、
取り込まれた前記再生データから、再生に必要な属性情報を検出するステップと、
検出された前記属性情報に対応したデコードソフトを格納していることを示すデコードコードを保持するステップと、
前記属性情報と前記デコードコードとに基づいて再生可能かどうかを判定するステップと、
再生不能と判断された場合、前記通信により前記属性情報に対応したデコードソフトを取り込むステップとを具備することを特徴とする情報記録再生装置。
【請求項７】
ディスクにデータを記録又は前記ディスクに記録されたデータを再生する情報記録再生方法において、
前記ディスクから再生データを再生するステップと、
再生された前記再生データから、再生に必要な属性情報を検出するステップと、
検出された前記属性情報に対応したデコードソフトを格納していることを示すデコードコードを保持するステップと、
前記属性情報と前記デコードコードとに基づいて再生可能かどうかを判定するステップと、
再生不能と判断された場合、外部より前記属性情報に対応したデコードソフトを取り込むステップとを具備することを特徴とする情報記録再生方法。
【請求項８】
前記属性情報に対応するデコードソフトが前記デコードソフト取込部によって取り込む際、再生可能な前記属性情報の種類を表示することを特徴とする請求項６乃至７のいずれかに記載の情報記録再生方法。
【請求項９】
前記属性情報に対応するデコードソフトが前記デコードソフト取込部によって取り込む際、有料であるか否かを警告表示することを特徴とする請求項６乃至７のいずれかに記載の情報記録再生方法。
【請求項１０】
前記属性情報は、前記再生データが圧縮された圧縮方式を示す情報であることを特徴とする請求項６乃至７のいずれかに記載の情報記録再生方法。
【発明の詳細な説明】
【０００１】
【発明の属する技術分野】
この発明は、インターネットを利用して様々なコンテンツをデコードできる情報記録再生装置および情報記録再生方法に関する。
【０００２】
【従来の技術】
【０００３】
近年、映像や音声等のデータを記録した光ディスクを再生する動画対応の光ディスク再生装置が開発され、例えばＬＤやビデオＣＤなどの様に、映画ソフトやカラオケ等の目的で一般に普及されている。
【０００４】
その中で、現在、国際規格化したＭＰＥＧ２（Ｍｏｖｉｎｇ  Ｉｍａｇｅ  Ｃｏｄｉｎｇ  Ｅｘｐｅｒｔ  Ｇｒｏｕｐ）方式及びＡＣ３オーディオ圧縮方式を採用したＤＶＤ規格が提案された。
【０００５】
この規格は、ＭＰＥＧ２システムレイヤに従って動画圧縮方式にＭＰＥＧ２、音声にＡＣ３オーディオ及びＭＰＥＧオーディオをサポートし、さらに、字幕用としてビットマップデータをランレングス圧縮した副映像データ、早送り巻き戻しなどの特殊再生用コントロールデータ（ナビパック）を追加して構成されている。
【０００６】
さらに、この規格では、コンピュータでデータを読むことが出来るように、ＩＳＯ９６６０とマイクロＵＤＦをサポートしている。
【０００７】
また、メディア自身の規格としては、ＤＶＤ−ビデオで使用しているＤＶＤ−ＲＯＭの規格に続き、ＤＶＤ−ＲＡＭの規格も完成し、ＤＶＤ−ＲＡＭドライブもコンピュータ周辺機器として普及し始めている。
【０００８】
このように、映像や音声等のデータを記録した光ディスクを再生する動画対応の光ディスク再生装置やこの光ディスクに上記データを記録する光ディスク記録装置に関する技術が公開されている（例えば、特許文献１参照）。
【０００９】
【特許文献１】
特開平８−３３９６６２号公報
【００１０】
【発明が解決しようとする課題】
このような状況のなかで、ＤＶＤプレーヤやＤＶＤレコーダなどの情報記録再生装置をインターネットに接続する動きがある。その中で、ＨＰ（ホームページ）のコンテンツを保存再生しようと考えた場合、さまざまな圧縮フォーマットがＨＰ上では氾濫しており、また、今後もコンテンツの圧縮フォーマットは増える可能性すらある。そこで、従来のように、前もって決めておいた圧縮フォーマットだけ対応している場合、再生できないコンテンツが発生する可能性があるという問題点があった。
【００１１】
そこで、本発明は上記の問題を解決するために成されたものであり、さまざまなＨＰ上のコンテンツに対応可能な情報記録再生装置および情報記録再生方法を提供することを目的とする。
【００１２】
【課題を解決するための手段】
この発明は、上記の目的を達成するために、ディスクにデータを記録又は前記ディスクに記録されたデータを再生する情報記録再生装置において、外部との通信を行うための通信部と、この通信部を介して外部から再生データを取り込む再生データ取込部と、この再生データ取込部によって取り込まれた前記再生データから、再生に必要なデコード属性情報を検出する属性情報検出部と、この属性情報検出部によって検出された前記デコード属性情報に対応したデコードソフトを格納していることを示すデコードコードを保持するデコードコード情報部と、前記デコード属性情報と前記デコードコードとに基づいて再生可能かどうかを判定する再生可能判定部と、この再生可能判定部によって再生不能と判断された場合、前記外部より前記デコード属性情報に対応したデコードソフトを取り込むデコードソフト取込部とを備えるようにしたものである。
【００１３】
この発明は、上記の目的を達成するために、ディスクにデータを記録又は前記ディスクに記録されたデータを再生する情報記録再生装置において、前記ディスクから再生データを再生する再生部と、この再生部によって再生された前記再生データから、再生に必要なデコード属性情報を検出する属性情報検出部と、この属性情報検出部によって検出された前記デコード属性情報に対応したデコードソフトを格納していることを示すデコードコードを保持するデコードコード情報部と、前記デコード属性情報と前記デコードコードとに基づいて再生可能かどうかを判定する再生可能判定部と、この再生可能判定部によって再生不能と判断された場合、外部より前記デコード属性情報に対応したデコードソフトを取り込むデコードソフト取込部とを備えるようにしたものである。
【００１４】
【発明の実施の形態】
以下、この発明の実施の形態について図面を参照して説明する。
【００１５】
ＤＶＤには通常のファイル形式でデータが保存されている。さらに、タイトルは、たとえば、映画の一本分に相当し、一枚のディスクにこのタイトルが複数保存されている。このタイトルが集まったものをタイトルセットと言い、このタイトルセットは、複数のファイルで構成されている。
【００１６】
図１は、ＤＶＤディスク中のディレクトリ構造の一例を示す図である。図１に示すように、ＤＶＤディスク中には、規格ごとにディレクトリが存在する。例えば、ＤＶＤ−ビデオ規格に対応するＶＩＤＥＯ＿ＴＳのディレクトリ、ＤＶＤ−オーディオ規格に対応するＡＵＤＩＯ＿ＴＳのディレクトリ、ＲＴＲ（ＲｅａｌＴｉｍｅ  Ｒｅｃｏｒｄｉｎｇ）−ＤＶＤ規格に対応するＤＶＤ＿ＲＴＲのディレクトリ、ＤＶＤ−ＡＲ（Ａｕｄｉｏ  Ｒｅｃｏｒｄｉｎｇ）規格に対応するＡＵＤＩＯ＿ＲＴＲのディレクトリが存在する。各記録データは、これらディレクトリの中に存在している。
【００１７】
図１に示すように、ＤＶＤ＿ＲＴＲのディレクトリは、ＶＲ＿ＭＡＮＧＲ．ＩＮＦ、ＶＲ＿ＭＯＶＩＥ．ＶＲＯ、ＶＲ＿ＳＴＩＬＬ．ＶＲＯ、ＶＲ＿ＡＵＤＩＯ．ＶＲＯ、ＶＲ＿ＭＡＮＧＲ．ＢＵＰを含んでいる。
【００１８】
ＡＵＤＩＯ＿ＴＳのディレクトリは、ＡＵＤＩＯ＿ＴＳ．ＩＮＦ、ＡＵＤＩＯ＿ＴＳ．ＢＵＰ、ＡＴＳ＿０１．ＩＮＦ、ＡＴＳ＿０１．ＡＯＢを含んでいる。
【００１９】
ＡＵＤＩＯ＿ＲＴＲのディレクトリは、ＡＲ＿ＭＡＮＧＲ．ＩＦＯ（管理ファイル）、ＡＲ＿ＡＵＤＩＯ．ＡＲＯ（オーディオファイル）、ＡＲ＿ＭＡＮＧＲ．ＢＵＰ（ＡＭＧバックアップファイル）を含んでいる。
【００２０】
例えば、ＤＶＤ−ビデオ規格では、１枚のディスクには、このディスク中のビデオデータを管理するための情報として、Ｖｉｄｅｏ  Ｍａｎａｇｅｒ（以降ＶＭＧと称する）と称するファイルが存在する。同様に、ＲＴＲ−ＤＶＤ規格では、１枚のディスクには、このディスク中のビデオデータを管理するための情報として、上記したＶＲ＿ＭＡＮＧＲ．ＩＮＦ（以降ＶＭＧと称する）と称するファイルが存在する。同様に、ＤＶＤ−ＡＲ規格では、１枚のディスクには、このディスク中のオーディオデータを管理するための情報として、ＡＲ＿ＭＡＮＧＲ．ＩＦＯ（以降ＡＭＧと称する）と称するファイルが存在する。
【００２１】
次に、図２を参照して、ＶＲ＿ＭＯＶＩＥ．ＶＲＯの詳細について説明する。図２は、ＶＲ＿ＭＯＶＩＥ．ＶＲＯに含まれるビデオオブジェクトセット（ＶＯＢＳ）のデータ構造の概略を示す図である。１枚のＤＶＤに対してＲＴＲ−ＤＶＤ規格に準拠したビデオデータを格納する場合、１枚のＤＶＤには１つのＶＲ＿ＭＯＶＩＥ．ＶＲＯが格納されることになる。
【００２２】
ＶＯＢＳは、複数のビデオオブジェクト（ＶＯＢ）を含む。また、ＶＯＢは、複数のビデオオブジェクトユニット（ＶＯＢＵ）を含む。また、ＶＯＢＵがビデオデータを含む場合には、複数のビデオパック（Ｖパック）、複数の副映像パック（ＳＰパック）及び複数のオーディオパック（Ａパック）を含む。また、これらビデオパック、副映像パック、オーディオパックから構成されるＧＯＰが配列されてビデオステータスストリームが構成され、ＧＯＰの再生時間を基準にして、ビデオオブジェクト（ＶＯＢＵ）が定められる。各パックは、１つ以上のパケットとパックヘッダを含む。パックは、データ転送処理を行う最小単位である。
さらに、論理上の処理を行う最小単位はセル単位で、論理上の処理はこの単位で行わる。
【００２３】
そして、データの再生する順番は、プログラムチェーン（ＰＧＣ）で定義され、このＰＧＣには複数のプログラム（ＰＧ）が登録され、このＰＧにはセルが登録され、さらにセルには再生すべき対象としてＶＯＢと、その再生開始時間、終了時間が登録されている。
【００２４】
ＰＧＣの構造を実際に記録してあるのが、プログラムチェーンインフォメーション（ＰＧＣＩ）である。再生処理は、ＰＧＣＩにしたがって行われ、記録時または編集時にＰＧＣＩを作成することになる。
【００２５】
また、録再可能ＤＶＤでは、記録順に再生するための特別なＰＧＣをオリジナルＰＧＣと称し、このオリジナルＰＧＣの情報はＯＲＧ＿ＰＧＣＩに記録されている。
【００２６】
次に、図３を参照して、ＶＲ＿ＭＡＮＧＲ．ＩＦＯ（ＶＭＧ）の詳細について説明する。図３は、ＶＭＧのデータ構造の概略を示す図である。ＶＭＧは、ＲＴＲビデオマネジャーインフォメーション（ＲＴＲ＿ＶＭＩ）、ムービーＡＶファイルインフォメーションテーブル（Ｍ＿ＡＶＦＩＴ）、スチル画ＡＶファイルインフォメーションテーブル（Ｓ＿ＡＶＦＩＴ）、オリジナルＰＧＣインフォメーション（ＯＲＧ＿ＰＧＣＩ）、ユーザディファインドＰＧＣインフォメーションテーブル（ＵＤ＿ＰＧＣＩＴ）、テキストデータマネージャー（ＴＸＴ＿ＭＧ）、マニュファクチャーズインフォメーションテーブル（ＭＮＦＩＴ）を含む。
【００２７】
Ｍ＿ＡＶＦＩＴは、ムービーＡＶＦＩＴインフォメーション（Ｍ＿ＡＶＦＩＴＩ）と、１以上のムービーＶＯＢストリームインフォメーション（Ｍ＿ＶＯＢ＿ＳＴＩ＃１）〜（Ｍ＿ＶＯＢ＿ＳＴＩ＃ｎ）と、ムービーＡＶＦインフォメーションテーブル（Ｍ＿ＡＶＦＩ）とを含む。
【００２８】
また、Ｍ＿ＡＶＦＩは、所定のファイル名（ＶＲ＿ＭＯＶＩＥ．ＶＲＯ）を持つムービーＡＶファイルの情報であり、ムービーＡＶファイル情報一般情報Ｍ＿ＡＶＦＩ＿ＧＩと、１以上のムービーＶＯＢ情報サーチポインタＭ＿ＶＯＢＩ＿ＳＲＰ＃１〜Ｍ＿ＶＯＢＩ＿ＳＲＰ＃ｎと、１以上のムービーＶＯＢ情報Ｍ＿ＶＯＢＩ＃１〜Ｍ＿ＶＯＢＩ＃ｎとを含む。
【００２９】
１つのムービーＡＶファイルは１以上のＶＯＢを含むことができ、各ＶＯＢはＭ＿ＡＶＦＩ内のＶＯＢのためのムービーＶＯＢ情報Ｍ＿ＶＯＢＩを持つ。Ｍ＿ＡＶＦＩ中の１以上のＭ＿ＶＯＢＩは、ムービーＡＶファイル内に格納されたＶＯＢデータと同じ順序で記述される。
【００３０】
Ｍ＿ＶＯＢ＿ＳＴＩは、ビデオアトリビュート（Ｖ＿ＡＴＲ）、オーディオストリーム数（ＡＳＴ＿Ｎｓ）、ＳＰストリーム数（ＳＰ＿Ｎｓ）、オーディオアトリビュート（Ａ＿ＡＴＲ）、Ｒｅｓｅｒｖｅｄ、ＳＰのパレットデータ（ＳＰ＿ＰＬＴ）を含む。
【００３１】
次に、図４、図５を参照して、Ｖ＿ＡＴＲ及びＡ＿ＡＴＲについて説明する。図４は、Ｖ＿ＡＴＲのデータ構造の概略を示す図であり、図５はＡ＿ＡＴＲのデータ構造の概略を示す図である。
【００３２】
図４に示すように、Ｖ＿ＡＴＲはビデオ属性情報で２バイトからなり、ビデオ圧縮モード、ＴＶモード、アスペクト比、アプリケーションフラグ、ライン２１＿Ｓ１、ライン２１＿Ｓ２、ビデオ解像度、Ｉ／Ｐなどの情報を含む。ビデオ圧縮モードとしては、３ビットからなり、ＭＰＥＧ１（０００）、ＭＰＥＧ２（００１）、ＭＰＥＧ４（０１０）、Ｍｏｔｉｏｎ  ＪＰＥＧ（１００）、Ｗｉｎｄｏｗｓ（Ｒ）  Ｍｅｄｉａ  Ｐｌａｙｅｒ（０１１）などがある。ＴＶモードとしては、１ビットからなり、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式（０）、ＰＡＬ（Ｐｈａｓｅ  Ａｌｔｅｒｎａｔｉｎｇ  Ｌｉｎｅ）方式（１）がある。アスペクト比としては、１ビットからなり、４：３（０）、１６：９（１）がある。アプリケーションフラグとしては、１ビットからなり、ＳＴＩのみにアスペクト比を記載（０）、ＳＴＩとＲＤＩパックに両方にアスペクト比を記載（１）がある。ビデオ解像度としては、３ビットからなり、７２０画素×４８０画素（０００）、７０４画素×４８０画素（００１）、３５２画素×４８０画素（０１０）、３５２画素×２４０画素（０１１）、５４４画素×４８０画素（１００）、４８０画素×４８０画素（１０１）、１０８０ライン（１１０）がある。Ｉ／Ｐとしては、１ビットからなり、プログレッシブ（０）、インターレース（１）がある。
残りはＲｅｓｅｒｖｅｄである。
【００３３】
また図５に示すように、Ａ＿ＡＴＲはオーディオ属性情報で３バイトからなり、オーディオ圧縮モード、アプリケーションフラグ、Ｑｕａｎｔｉｚａｔｉｏｎ／ＤＲＣ、ｆｓ（周波数）、チャンネル数などの情報を含む。オーディオ圧縮モードとしては、３ビットからなり、ＡＣ３（０００）、ＭＰＥＧ１／ＭＰＥＧ２（ｗｉｔｈｏｕｔ  ｅｘｔｅｎｓｉｏｎ  ｂｉｔｓｔｒｅａｍ）（００１）、ＭＰＥＧ２（ｗｉｔｈ  ｅｘｔｅｎｓｉｏｎ  ｂｉｔｓｔｒｅａｍ）（０１０）、ＬＰＣＭ（０１１）、ＡＡＣ（１００）などがある。Ｑｕａｎｔｉｚａｔｉｏｎ／ＤＲＣとしては、１ビットからなり、１６ｂｉｔｓ（０）、２４ｂｉｔｓ（１）がある。ｆｓとしては、１ビットからなり、４８ＫＨｚ（０）、９６ＫＨｚ（１）がある。チャンネル数としては、４ビットからなり、１ｃｈ（００００）、２ｃｈ（０００１）、３ｃｈ（００１０）、４ｃｈ（０１００）、５ｃｈ（１０００）、６ｃｈ（００１１）、７ｃｈ（０１０１）、８ｃｈ（１００１）、Ｄｕａｌ  ｍｏｎｏ（０１１１）がある。残りはＲｅｓｅｒｖｅｄである。
【００３４】
ＤＶＤ再生時には、後述するビデオデコード部２２は、Ｖ＿ＡＴＲに含まれる情報に基づき、またオーディオデコード部２４は、Ａ＿ＡＴＲに含まれる情報に基づき、各種初期設定を行なう。
【００３５】
次に、図６を参照して、上記説明したＤＶＤに対して映像や音楽などの情報を記録したり、ＤＶＤからこれら情報を再生したりする情報記録再生装置について説明する。図６は、この発明の一実施の形態に係る情報記録再生装置１００の概略構成を示すブロック図である。
【００３６】
図６に示すように、情報記録再生装置１００は、ＭＰＵ部１０、表示部１６、ＬＡＮ用Ｉ／Ｆ部１７、デコーダ部２０、エンコーダ部３０、Ａ／Ｖ入力部４０、ＴＶチューナー部４１、ＳＴＣ部（Ｓｙｓｔｅｍ  Ｔｉｍｅ  Ｃｏｕｎｔｅｒ）４２、Ｄ−ＰＲＯ部４３、一時記憶部４４、ディスクドライブ部４５、キー入力部４６、Ｖミキシング部４７、フレームメモリ部４８、ビデオ出力用Ｄ／Ａ部４９、オーディオ出力用Ｄ／Ａ部５０、及びセレクタ部５１などを備えている。
【００３７】
ＭＰＵ部１０は、ワークＲＡＭ部１１、ＳＴＩ設定部１２、第１の属性情報検出部１３、第２の属性情報検出部１４などを備えている。ワークＲＡＭ部１１は、後述するデコードソフト保存部２６に保存されているデコードソフトに対応するデータ（圧縮コードデータ）を保持するデコードコード情報１１ａを備えている。図１１にデコードコード情報部１１ａ内のデータイメージ例が示されている。すなわち、ビデオ圧縮方式の数、ビデオの圧縮方式、使用回数、オーディオ圧縮方式の数、オーディオの圧縮方式、使用回数などの情報を格納することができる。
【００３８】
ＳＴＩ設定部１２は、図３に示すＭ＿ＶＯＢ＿ＳＴＩの設定を制御する。第１の属性情報検出部１３は、ＤＶＤから読み出したＶＭＧ内にあるＶ＿ＡＴＲ及びＡ＿ＡＴＲのビデオ属性情報、オーディオ属性情報を検出する。具体的に、ビデオ属性情報とはＭＰＥＧ１、ＭＰＥＧ２、ＭＰＥＧ４、Ｍｏｔｉｏｎ  ＪＰＥＧ、Ｗｉｎｄｏｗｓ（Ｒ）  Ｍｅｄｉａ  Ｐｌａｙｅｒなどのことであり、オーディオ属性情報とはＡＣ３、ＭＰＥＧ１／ＭＰＥＧ２（ｗｉｔｈｏｕｔ  ｅｘｔｅｎｓｉｏｎ  ｂｉｔｓｔｒｅａｍ）、ＭＰＥＧ２（ｗｉｔｈ  ｅｘｔｅｎｓｉｏｎ  ｂｉｔｓｔｒｅａｍ）、ＬＰＣＭ、ＡＡＣなどのことである。
【００３９】
エンコーダ部３０は、Ａ／Ｄ部３１、ビデオエンコード部３２、オーディオエンコード部３３、フォーマッタ部３５、バッファメモリ部３６などを備えている。デコーダ部２０は、分離部２１、ビデオデコード部２２、ＳＰデコード部２３、オーディオデコード部２４、Ｖ−ＰＲＯ部２５、及びデコードソフト保存部２６などを備えている。
【００４０】
ＡＶ信号の流れは、次のようになる。Ａ／Ｖ入力部４０又はＴＶチューナー部４１を介して入力されたＡＶ信号は、Ａ／Ｄ部３１でデジタル変換される。デジタル変換されたＡＶ信号に含まれるビデオ信号は、ビデオエンコード部３２へ入力される。デジタル変換されたＡＶ信号に含まれるオーディオ信号は、オーディオエンコード部３３へ入力される。
【００４１】
ビデオエンコード部３２は、ビデオ信号をＭＰＥＧ圧縮しパケット化する。オーディオエンコード部３３は、オーディオ信号をＡＣ３圧縮またはＭＰＥＧオーディオ圧縮しパケット化する。ビデオエンコード部３２は、パケット化したビデオデータをフォーマッタ部３５へ入力する。同様に、オーディオエンコード部３３は、パケット化したオーディオデータをフォーマッタ部３５へ入力する。なお、圧縮データをパック化した場合に２０４８バイトになるように、圧縮データはパケット化されている。フォーマッタ部３５は、各パケットデータをパック化し、さらに多重化し、Ｄ−ＰＲＯ部４３へ転送する。
【００４２】
また、ＬＡＮ用Ｉ／Ｆ部１７を介して入力された入力データは、第２の属性情報検出部１４によってビデオ属性情報、オーディオ属性情報が検出された後、Ｄ−ＰＲＯ部４３へ転送される。
【００４３】
Ｄ−ＰＲＯ部４３は、１６パック毎に２重にエラー訂正コードを付加し、ＥＣＣ（Ｅｒｒｏｒ  Ｃｏｒｒｅｃｔｉｏｎ  Ｃｏｄｅ）ブロックを形成する。このＤ−ＰＲＯ部４３で生成されたＥＣＣブロックのデータは、ディスクドライブ部４５によりディスクに記録される。
【００４４】
ここで、ディスクドライブ部４５がシーク中やトラックジャンプなどの場合のためビジィー状態の場合には、記録対象のデータは一時記憶部４４へ入れられ、ディスクドライブ部４５の準備ができるまで待つこととなる。
【００４５】
続いて、第２の属性情報検出部１４によるビデオ属性情報、オーディオ属性情報の検出、及び検出されたビデオ属性情報、オーディオ属性情報の配置について説明する。第２の属性情報検出部１４は、ＬＡＮ用Ｉ／Ｆ部１７を介して入力された入力データからビデオ属性情報、オーディオ属性情報を検出する。ビデオ属性情報とは、ビデオ圧縮モード、ＴＶモード、アスペクト比、アプリケーションフラグ、ビデオ解像度、Ｉ／Ｐ（プログレッシブ／インターレース）などの情報である。オーディオ属性情報とは、オーディオ圧縮モード、アプリケーションフラグ、Ｑｕａｎｔｉｚａｔｉｏｎ／ＤＲＣ、ｆｓ、チャンネル数などの情報である。そして、第２の属性情報検出部１４は検出したビデオ属性情報、オーディオ属性情報を録画開始時にＭＰＵ部１０へ送信する。
【００４６】
ＭＰＵ部１０は、送信されたビデオ属性情報、オーディオ属性情報に基づいて、ディスク上の管理ファイル内にビデオ属性情報、オーディオ属性情報を配置する。つまり、ＭＰＵ部１０はＶＲ＿ＭＡＮＧＲ．ＩＦＯ内にビデオ属性情報を配置する。具体的に説明すると、ＭＰＵ部１０は、ＶＲ＿ＭＡＮＧＲ．ＩＦＯに含まれるＭ＿ＶＯＢ＿ＳＴＩの中のＶ＿ＡＴＲにビデオ属性情報を配置し、Ａ＿ＡＴＲにオーディオ属性情報を配置して、図３に示すようなＭ＿ＶＯＢ＿ＳＴＩを作成する。
【００４７】
次に、光ディスクに記録されたデータの再生について説明する。
【００４８】
ディスクドライブ部４５によって光ディスクから読み出された信号は、Ｄ−ＰＲＯ部４３でＥＣＣ処理が行なわれ、デコーダ部２０へ入力される。デコーダ部２０は、分離部２１によりストリームデータをパックごとに各アイテムに切り分け、ビデオパックはビデオデコード部２２へ、オーディオパックはオーディオデコード部２４へ、ＳＰパックはＳＰデコード部２３へ入力される。
【００４９】
ビデオデコード部２２およびオーディオデコード部２４は、デコードソフト保存部２６（マイクロコード保存部）に格納されたプログラムに従ってデコード動作を行う。このデコード処理の後、ビデオ信号とＳＰ信号はＶ−ＰＲＯ部２５で重畳され、最終的なビデオ信号となり、Ｄ／Ａ部４９を経て、アナログビデオ信号となりＴＶに出力される。オーディオ信号は、そのままＤ／Ａ部５０によってアナログ変換され、スピーカなどから出力される。
【００５０】
次に、ＬＡＮやＵＳＢなどからのＡＶ信号の記録処理について、図７に従って説明する。図７は、図６に示す情報記録再生装置における通信から得たＡＶ信号の記録処理を示すフローチャートである。
【００５１】
データ記録時に、以下の処理を行なう。
【００５２】
ＳＴ７０１：ＤＶＤ−ＲＡＭのファイルシステムを読み込む。このとき、ＤＶＤ−ＲＡＭのファイルシステムをチェックし、ファイルシステムが無い場合にはファイルシステムを構築する。
【００５３】
ＳＴ７０２〜ＳＴ７０３：ＤＶＤ−ＲＡＭの空き容量が無い場合には、”記録スペースがありません”等の案内が表示される。
【００５４】
ＳＴ７０４：記録前処理を実行する。つまり、ＤＶＤ−ＲＡＭのディレクトリをチェックし、ＤＶＤ＿ＲＴＲのディレクトリが無い場合には、ＤＶＤ＿ＲＴＲのディレクトリを作成する。ＤＶＤ−ＲＡＭのＤＶＤ＿ＲＴＲのディレクトリかＲＴＲ＿ＶＭＧＩを読み出す。ＲＴＲ＿ＶＭＧＩが無い場合にはＲＴＲ＿ＶＭＧＩを発生させ、ＶＭＧＩテーブルを構築する。
【００５５】
ＳＴ７０５：ＭＰＵ部１０は、ＬＡＮ用Ｉ／Ｆ部１７を初期設定し、サーバーに接続したあと、接続されたサーバーよりＡＶ信号を受信する。
【００５６】
ＳＴ７０６：第２の属性情報検出部１４は、前述したように、受信したＡＶ信号内の属性情報（ビデオ属性情報やオーディオ属性情報）を検出する。ＭＰＵ部１０は、検出した属性情報に従ってＭ＿ＶＯＢ＿ＳＴＩを設定する。すなわち、検出された属性情報に基づき、ＶＲ＿ＭＡＮＧＲ．ＩＦＯに含まれるＭ＿ＶＯＢ＿ＳＴＩの中のＶ＿ＡＴＲ内にビデオ属性情報が配置され、Ｍ＿ＶＯＢ＿ＳＴＩの中のＡ＿ＡＴＲ内にオーディオ属性情報が配置される。
【００５７】
ＳＴ７０７：ＭＰＵ部１０は、受信したＡＶ信号内のストリームデータをパック方式になっているかどうかを調べ、パック方式になっていない場合は、パック方式に変換し（パックヘッダ、パケットヘッダの作成、１パック２０４８バイトになるように切り分ける等の処理）、ＶＯＢファイルに追加し、記録する。
【００５８】
ＳＴ７０８：記録終了処理を行う。リンク情報に基づきＤＶＤ−ＲＡＭのファイルシステムを更新する。ＶＭＧＩに基づきＶＭＧを更新し、ＤＶＤ−ＲＡＭにＶＭＧを記録する。ＶＭＧの更新により、新たに設定されたＭ＿ＶＯＢ＿ＳＴＩがＤＶＤ−ＲＡＭに記録されることになる。
【００５９】
ＳＴ７０９：記録終了後に、デコードソフトを取り込むかどうか決定する。ＳＴ７０６で検出した属性情報と、デコードソフト保存部２６に保存されているデコードソフトに対応する圧縮コードデータを格納しているデコードコード情報部１１ａとを比較する。ＭＰＵ部１０は、ＡＶ信号をデコードするのに必要なデコードソフトが保存されているかどうかを調べ、現在再生可能か否かを判断する。必要なデコードソフトが保存されている場合、すなわち、再生可能な圧縮方式の場合はそのまま終了する。なお、デコードソフト保存部２６には予め何もデコードソフトが保存されていなくてもよい。その場合には再生不可能となる。
【００６０】
ＳＴ７１０：必要なデコードソフトが保存されていない場合、すなわち、再生できない圧縮方式の場合、ＬＡＮ用Ｉ／Ｆ部１７を介してＨＰ（ホームページ）にアクセスし、目的のデコードソフト（デコードプログラム）を選択しダウンロードする。デコードソフトの取り込み処理についての詳細な説明は後述する。
【００６１】
ＳＴ７１１〜ＳＴ７１２：デコードソフトのダウンロード処理の結果、取り込み失敗した場合、その旨を表示（エラー表示）し、終了する。
【００６２】
ＳＴ７１３：デコードソフトのダウンロード処理の結果、取り込みに成功した場合、ＭＰＵ部１０は取り込んだ圧縮方式のデコードソフトをデコードソフト保存部２６に保存する。なお、このデコードソフト保存部２６に空きがない場合は、一番使用頻度の少ない圧縮方式のデコードソフトを削除して上書き保存する。
【００６３】
ＳＴ７１４：ＭＰＵ部１０は、デコードソフト保存部２６に保存したデコードソフトに対応する圧縮コードデータをデコードコード情報部１１ａに保存する。但し、ＳＴ７１３で上書き保存した場合は、その削除されたデコードソフトに対応する圧縮コードデータを削除する。
【００６４】
次に、上記通信からのＡＶデータを記録したＤＶＤ−ＲＡＭを再生する場合の処理の流れを図８に従って説明する。なお、上記通信からのＡＶ信号を再生するだけでなく、予めデータが記録されたＤＶＤ−ＲＡＭを再生する場合も適用される。
【００６５】
データ再生時に、以下の処理を行なう。
【００６６】
ＳＴ８０１〜ＳＴ８０２：装填されたＤＶＤ−ＲＡＭにＶＭＧファイルがあるかどうかチェックし、ＶＭＧファイルがない場合はその旨を表示し終了する。
【００６７】
ＳＴ８０３〜ＳＴ８０４：ＶＭＧファイルがある場合は、ＶＭＧファイルを読み込み、再生するプログラムを決定する。
【００６８】
ＳＴ８０５：第１の属性情報検出部１３は、ＶＭＧファイル内のＭ＿ＶＯＢ＿ＳＴＩのＶ＿ＡＴＲ、Ａ＿ＡＴＲを検出する。すなわち、ＤＶＤ−ＲＡＭに記録されたＡＶ信号のビデオ属性情報、オーディオ属性情報を検出する。
【００６９】
ＳＴ８０６：ＭＰＵ部１０は、第１の属性情報検出部１３によって検出されたビデオ属性情報、オーディオ属性情報と、デコードソフト保存部２６に保存されているデコードソフトに対応する圧縮コードデータを格納しているデコードコード情報部１１ａとを比較する。ＭＰＵ部１０は、ＡＶ信号をデコードするのに必要なデコードソフトが保存されているかどうかを調べ、現在再生可能か否かを判断する。必要なデコードソフトが保存されている場合、すなわち、再生可能な圧縮方式の場合はＳＴ８１２へ移行する。なお、デコードソフト保存部２６には予め何もデコードソフトが保存されていなくてもよい。その場合には再生不可能となる。
【００７０】
ＳＴ８０７：必要なデコードソフトが保存されていない場合、すなわち、再生できない圧縮方式の場合、ＬＡＮ用Ｉ／Ｆ部１７を介してＨＰ（ホームページ）にアクセスし、目的のデコードソフト（デコードプログラム）を選択しダウンロードする。デコードソフトの取り込み処理についての詳細な説明は後述する。
【００７１】
ＳＴ８０８〜ＳＴ８０９：デコードソフトのダウンロード処理の結果、取り込み失敗した場合、その旨を表示（エラー表示）し、終了する。
【００７２】
ＳＴ８１０：デコードソフトのダウンロード処理の結果、取り込みに成功した場合、ＭＰＵ部１０は取り込んだ圧縮方式のデコードソフトをデコードソフト保存部２６に保存する。なお、このデコードソフト保存部２６に空きがない場合は、一番使用頻度の少ない圧縮方式のデコードソフトを削除して上書き保存する。
【００７３】
ＳＴ８１１：ＭＰＵ部１０は、デコードソフト保存部２６に保存したデコードソフトに対応する圧縮コードデータをデコードコード情報部１１ａに保存する。但し、ＳＴ７１３で上書き保存した場合は、その削除されたデコードソフトに対応する圧縮コードデータを削除する。
【００７４】
ＳＴ８１２〜ＳＴ８１３：ＭＰＵ部１０は、ビデオデコード部２２、ＳＰデコード部２３、オーディオデコード部２４の各デコーダに初期設定を行い、再生処理を実行する。
【００７５】
次に、デコードソフトの取り込み処理動作の処理について図９を用いて説明する。
【００７６】
ＳＴ９０１〜ＳＴ９０２：ＭＰＵ部１０は、第１の属性情報検出部１３又は第２の属性情報検出部１４により検出されたＭ＿ＶＯＢ＿ＳＴＩから必要な圧縮方式を決定し、サーバーを接続させて専用のＨＰにアクセスする。
【００７７】
ＳＴ９０３：ＭＰＵ部１０は目的の圧縮方式を検索する。
【００７８】
ＳＴ９０４〜ＳＴ９０５：ＭＰＵ部１０は、検索した圧縮方式が有料かどうかを判定する。有料の場合、ユーザに取り込むかどうかを確認させる。
【００７９】
ＳＴ９０６〜ＳＴ９０８：取り込まない場合は、失敗となり処理終了となる。取り込む場合は、送金処理を行い、デコードソフトをダウンロードする。
【００８０】
ＳＴ９０９：ＳＴ９０４で検索した圧縮方式が無料だった場合、デコードソフトをダウンロードする。
【００８１】
さらに、デコードソフトの取り込みを電源投入時に行う場合の処理について図１０を用いて説明する。
【００８２】
ＳＴ１００１：ＭＰＵ部１０は、第１の属性情報検出部１３又は第２の属性情報検出部１４により検出されたＭ＿ＶＯＢ＿ＳＴＩから必要な圧縮方式を決定し、サーバーを接続させて専用のＨＰにアクセスする。
【００８３】
ＳＴ１００２：ＭＰＵ部１０は、ＨＰ上の全ての転送可能なデコード種類は調べ、圧縮方式名をすべて取り込む。ＳＴ１００３：そして、デコードコード情報部１１ａを参照して、現在装置内の可能なデコード種類を調べる。
【００８４】
ＳＴ１００４：ＭＰＵ部１０は、ＳＴ１００２で調べた圧縮方式を表示させ、その内、ＳＴ１００３で調べた圧縮方式の色を変えさせるよう制御する。
【００８５】
ＳＴ１００５：このような圧縮方式が表示された状態から、ユーザは所望の圧縮方式を選択する。
【００８６】
ＳＴ１００６〜ＳＴ１００７：ユーザが選択した圧縮方式が有料であった場合、ＭＰＵ部１０はユーザに有料であることを警告し、取り込むかどうかを確認させる。
【００８７】
ＳＴ１００８〜ＳＴ１００９：取り込まない場合は、失敗となり処理終了となる。取り込む場合は、送金処理を行い、デコードソフトをダウンロードする。
【００８８】
ＳＴ１０１０：ＳＴ１００６で検索した圧縮方式が無料だった場合、デコードソフトをダウンロードする。
【００８９】
以上説明したように、情報記録再生装置において、この情報記録再生装置内にデコードソフトを設けなくても、インターネットを利用して様々なコンテンツを再生することができ、さらに情報記録再生装置を安価に提供することができる。
【００９０】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【００９１】
【発明の効果】
この発明によれば、ＨＰに対応した情報記録再生装置を構築することができるという効果を得ることができる。
【図面の簡単な説明】
【図１】ＤＶＤ中に構築されるディレクトリ構造の一例を示す図である。
【図２】図１に示すＶＲ＿ＭＯＶＩＥ．ＶＲＯに含まれるＶＯＢＳのデータ構造の概略を示す図である。
【図３】図１に示すＶＲ＿ＭＡＮＧＲ．ＩＦＯのデータ構造の概略を示す図である。
【図４】図３に示すＶ＿ＡＴＲのデータ構造の概略を示す図である。
【図５】図３に示すＡ＿ＡＴＲのデータ構造の概略を示す図である。
【図６】この発明の一実施の形態に係る情報記録再生装置の概略構成を示すブロック図である。
【図７】通信からのＡＶ信号の記録処理動作を示すフローチャートである。
【図８】情報記録再生装置における再生処理動作を示すフローチャートである。
【図９】デコードソフトの取り込み処理動作を示すフローチャートである。
【図１０】デコードソフトの取り込みを手動又は電源投入時に行う場合の処理動作を示すフローチャートである。
【図１１】デコードコード情報部のデータイメージ例を示す図である。
【符号の説明】
１０    ＭＰＵ部１１    ワークＲＡＭ部１１ａ    デコードコード情報部１２    ＳＴＩ設定部１３    第１の属性情報検出部１４    第２の属性情報検出部１６    表示部１７    ＬＡＮ用Ｉ／Ｆ部２０    デコーダ部２６    デコードソフト保存部３０    エンコーダ部４０    Ａ／Ｖ入力部４１    ＴＶチューナー部４２    ＳＴＣ部４３    Ｄ−ＰＲＯ部４４    一時記憶部４５    ディスクドライブ部４６    キー入力部４７    Ｖミキシング部４８    フレームメモリ部４９    ＴＶ用Ｄ／Ａ部５０    オーディオ用Ｄ／Ａ部５１    セレクタ部１００    情報記録再生装置
【図１】
2004303324.tif 000003
【図２】
2004303324.tif 000004
【図３】
2004303324.tif 000005
【図４】
2004303324.tif 000006
【図５】
2004303324.tif 000007
【図６】
2004303324.tif 000008
【図７】
2004303324.tif 000009
【図８】
2004303324.tif 000010
【図９】
2004303324.tif 000011
【図１０】
2004303324.tif 000012
【図１１】
2004303324.tif 000013